(57)【特許請求の範囲】
【請求項１】
それぞれが等大長方形状を成し、一方の長辺同士が帯状のマチ部で連結された第１袋地片および第２袋地片と、
前記第１袋地片の他方の長辺に沿って取付けられた第１ファスナと、
前記第１ファスナと連結可能であって前記第２袋地片の他方の長辺に沿って取付けられた第２ファスナと、
前記第１ファスナと連結可能であって前記第２袋地片の外側面に前記第２ファスナと所定間隔を隔てて平行状に取付けられた第３ファスナと、
前記第１袋地片の両側短辺に沿って取付けられ互いに連結可能な第４ファスナと、
前記第２袋地片の両側短辺に沿って取付けられ互いに連結可能で、かつ、前記第１袋地片の同じ側に位置する短辺の前記第４ファスナとも連結可能な第５ファスナとを備えたことを特徴とするふとん収納袋。
【請求項２】
前記第１袋地片または第２袋地片の外側面に、両端部が袋地片の両側短辺からそれぞれ側方に所定長さ延び、かつ、両端部に互いに連結可能な連結手段が装着された巻付けベルトを取付けたことを特徴とする請求項１記載のふとん収納袋。
【発明の詳細な説明】
【０００１】
【発明の属する技術分野】
本発明は、家庭などで長期間使用することのないシーズンオフの掛けふとんや敷きふとんを押し入れなどに保管するためのふとん収納袋に関する。
【０００２】
【従来の技術】
通常、家庭などで長期間使用することのないシーズンオフの掛けふとんや敷きふとんは、ふとん収納袋内に収納されて押し入れなどに保管される。
【０００３】
従来、ふとん収納袋として、上部にファスナなどによって開閉可能な開口部を有する袋状のものが利用されている。
【０００４】
【発明が解決しようとする課題】
しかし、従来のふとん収納袋では、内部にふとんを収納する際、上部の開口部を充分に開かせた状態で持ち上げて保持しておき、その開口部より折り畳んだふとんを収納することになるため、一人では収納が困難であり、二人掛りでないと要領よく収納できない。また、従来のふとん収納袋は、収納するふとんのサイズに合わせて形成されているため、サイズの異なるふとんを収納する場合に不都合があり、例えばシングルサイズとダブルサイズの２種類のふとんがあれば、各サイズ用のふとん収納袋が必要である。更に、従来のふとん収納袋は、ふとんを収納した状態の寸法や形状が一定であるため、押し入れなどの限られた収納スペースに合わせてふとんを収納するのには適していない。
【０００５】
本発明は、前記問題点に鑑みて提案されたもので、一人で簡単に、しかも、サイズの異なるふとんを収納できるとともに、押し入れなどの収納スペースに合わせてふとんを収納できるふとん収納袋の提供を目的とする。
【０００６】
【課題を解決するための手段】
本発明は、前記目的を達成するため、それぞれが等大長方形状を成し、一方の長辺同士が帯状のマチ部で連結された第１袋地片および第２袋地片と、前記第１袋地片の他方の長辺に沿って取付けられた第１ファスナと、前記第１ファスナと連結可能であって前記第２袋地片の他方の長辺に沿って取付けられた第２ファスナと、前記第１ファスナと連結可能であって前記第２袋地片の外側面に前記第２ファスナと所定間隔を隔てて平行状に取付けられた第３ファスナと、前記第１袋地片の両側短辺に沿って取付けられ互いに連結可能な第４ファスナと、前記第２袋地片の両側短辺に沿って取付けられ互いに連結可能で、かつ、前記第１袋地片の同じ側に位置する短辺の前記第４ファスナとも連結可能な第５ファスナとを備えたものである。
【０００７】
また、本発明は、前記第１袋地片または第２袋地片の外側面に、両端部が袋地片の両側短辺からそれぞれ側方に所定長さ延び、かつ、両端部に互いに連結可能な連結手段が装着された巻付けベルトを取付けたものである。
【０００８】
【発明の実施の形態】
以下に本発明の実施形態を図面に基づき説明する。
【０００９】
図１は本実施形態のふとん収納袋Ａを内側面を上方に向けて平面状に拡げた状態を示す図面である。
【００１０】
図１において、１は長方形状に形成された第１袋地片、２は第１袋地片１と同形等大の第２袋地片、３は第１袋地片１と第２袋地片２の一方の長辺同士を連結する帯状のマチ部である。
【００１１】
第１袋地片１および第２袋地片２は、ポリプロピレン等の繊維から形成された不織布で構成され、必要に応じて抗菌・防湿加工が施されている。第１袋地片１および第２袋地片２は、短辺方向を例えば三つ折りに畳んだ状態のふとんＭの大きさに相当する大きさを有する。例えば、長辺方向の寸法が約２００ｃｍ、短辺方向の寸法が約８５ｃｍである。
【００１２】
マチ部３は、収納したふとんＭが外部から認識し得るように、ポリエチレン等から形成された透明な樹脂シートで構成されている。
【００１３】
第１袋地片１の他方の長辺には第１ファスナ４が全長に亘って取付けられ、第２袋地片２の他方の長辺には第１ファスナ４と連結可能な第２ファスナ５が全長に亘って取付けられている。また、第２袋地片２の外側面には、第１ファスナ４と連結可能な第３ファスナ６が第２ファスナ５と所定間隔を隔てて平行状に取付けられている。
【００１４】
第１ファスナ４には第１スライド金具７がスライド自在に装着されており、この第１スライド金具７によって第１ファスナ４と第２ファスナ５または第１ファスナ４と第３ファスナ６とを連結し得るようになっている。
【００１５】
第１袋地片１の両側短辺には互いに連結可能な第４ファスナ８，８´が全長に亘って取付けられ、第２袋地片２の両側短辺には互いに連結可能で、かつ、第１袋地片１の同じ側に位置する短辺の第４ファスナ８，８´とも連結可能な第５ファスナ９，９´が全長に亘って取付けられている。
【００１６】
第４ファスナ８には第２スライド金具１０がスライド自在に装着されており、この第２スライド金具１０によって第４ファスナ８と第４ファスナ８´または第４ファスナ８と第５ファスナ９とを連結し得るようになっている。また、第５ファスナ９´には第３スライド金具１１がスライド自在に装着されており、この第３スライド金具１１によって第５ファスナ９と第５ファスナ９´または第４ファスナ８´と第５ファスナ９´とを連結し得るようになっている。
【００１７】
第２袋地片２の外側面には複数条、例えば２条の巻付けベルト１２，１２が一定間隔を隔てて平行状に取付けられている。巻付けベルト１２は、基端部が第２袋地片２にそれぞれ取付けられ、先端部が第２袋地片２の短辺からそれぞれ側方に所定長さ延びる左右一対のベルト片１３ａ，１３ｂからなり、ベルト片１３ａ，１３ｂの先端には互いに掛合可能なバックル１４ａ，１４ｂがそれぞれ装着されており、このバックル１４ａ，１４ｂ同士を掛合することによってベルト片１３ａ，１３ｂを連結し得るようになっている。尚、巻付けベルト１２のベルト片１３ａ，１３ｂの少なくとも一方は長さ調節可能になっている。
【００１８】
次に、上記構成のふとん収納袋ＡにダブルサイズのふとんＭを収納する手順について説明する。
【００１９】
先ず、図１に示すように、ふとん収納袋Ａを内側面を上方に向けて平面状に拡げる。次に、図２に示すように、短辺方向を三つ折りに畳んだふとんＭを第２袋地片２に載置させた後、第１袋地片１を第２袋地片２側にマチ部３において折り曲げてふとんＭに被せる。これにより、ふとんＭは第１袋地片１と第２袋地片２との間に挟まれた状態となる。
【００２０】
次に、図３に示すように、第１袋地片１の第１ファスナ４と第２袋地片２の第２ファスナ５とを第１スライド金具７によって連結するとともに、第１袋地片１の第４ファスナ８，８´と第２袋地片２の第５ファスナ９，９´とを第２、第３スライド金具１０，１１によって連結する。これにより、第１袋地片１と第２袋地片２との他方の長辺同士が連結されるとともに、第１袋地片１と第２袋地片２との両側短辺同士がそれぞれ連結され、ふとんＭは第１袋地片１と第２袋地片２との間に完全に包まれた状態となる。尚、シングルサイズのふとんを収納する場合には、第１袋地片１の第１ファスナ４と第２袋地片２の第３ファスナ６とを第１スライド金具７によって連結する。
【００２１】
次に、ふとんＭを包み込んだ第１袋地片１と第２袋地片２とを、第１袋地片１が内側になるように、例えば、図４に示すように、筒状に丸めたり、或いは、図５に示すように、三つ折りに畳み、これに巻付けベルト１２，１２のベルト片１３ａ，１３ｂを巻付けて当該ベルト片１３ａ，１３ｂをバックル１４ａ，１４ｂによって連結することにより、第１袋地片１と第２袋地片２とを巻付けベルト１２，１２によりしばりつけることができる。これにより、ふとんＭを筒状に丸まった状態、或いは、三つ折りに畳まれた状態で収納することができる。
【００２２】
図６は上述した収納形態とは別のふとんＭの収納形態を示す。この収納形態の手順は、先ず、上述した収容形態と同様に、平面状に拡げられたふとん収納袋Ａの第２袋地片２に、短辺方向を三つ折りに畳んだふとんＭを載置させた後、第１袋地片１を第２袋地片２側に折り曲げてふとんＭに被せ、第１袋地片１と第２袋地片２との間にふとんＭを挟む。
【００２３】
次に、第１袋地片１の第１ファスナ４と第２袋地片２の第２ファスナ５とを第１スライド金具７によって連結し、第１袋地片１と第２袋地片２との他方の長辺同士を連結する。尚、シングルサイズのふとんを収納する場合には、第１袋地片１の第１ファスナ４と第２袋地片２の第３ファスナ６とを第１スライド金具７によって連結する。
【００２４】
次に、第１袋地片１と第２袋地片２とを第１袋地片１が内側になるように長辺方向に二つ折りに畳み、第２袋地片２の両側短辺の第５ファスナ９，９´を第３スライド金具１１によって連結することで、第２袋地片２の両側短辺同士を連結してふとんＭを完全に包み、これに巻付けベルト１２，１２を巻付けて第１袋地片１と第２袋地片２とを縛り付けるようにしている。
【００２５】
このふとん収納袋Ａによれば、上記収納手順から明らかなように、短辺方向を三つ折りにしたふとんＭを第２袋地片２に載置し、第１袋地片１を折り曲げてふとんＭに重ねた後、第１袋地片１と第２袋地片２との他方の長辺同士および両側短辺同士を、第１ファスナ４と第２ファスナ５（第３ファスナ６）および第４ファスナ８，８´と第５ファスナ９，９´によりそれぞれ連結するだけでふとんＭを収納することができるので、一人でも簡単にふとんＭを収納することが可能である。
【００２６】
また、第２袋地片２の他方の短辺に沿って第２ファスナ５を取付けるとともに、第２袋地片２の外側面に第２ファスナ５と所定間隔を隔てて平行状に第３ファスナ６を取付けているため、第１袋地片１の他方の長辺に沿って取付けられた第１ファスナ４をふとんのサイズに合わせて第２ファスナ５または第３ファスナ６と選択的に連結させることにより、シングルサイズとダブルサイズの２種類のふとんを収納することが可能である。
【００２７】
更に、第２袋地片２の外側面に巻付けベルト１２，１２を取付けているため、ふとんＭを包んだ第１袋地片１と第２袋地片２とを更に折り畳んで巻付けベルト１２，１２によって縛り付けることができる。これにより、第１袋地片１と第２袋地片２との畳み方をいろいろ選ぶことができるので、ふとんＭを収納スペースに合わせて収納することが可能である。
【００２８】
尚、本発明のふとん収納袋Ａは上記実施形態に限定されるものではなく、図３乃至図５に示す収納形態以外でもふとんＭを収納することが可能である。
【００２９】
【発明の効果】
以上説明したように、本発明のふとん収納袋は、それぞれが等大長方形状を成し、一方の長辺同士が帯状のマチ部で連結された第１袋地片および第２袋地片と、前記第１袋地片の他方の長辺に沿って取付けられた第１ファスナと、前記第１ファスナと連結可能であって前記第２袋地片の他方の長辺に沿って取付けられた第２ファスナと、前記第１ファスナと連結可能であって前記第２袋地片の外側面に前記第２ファスナと所定間隔を隔てて平行状に取付けられた第３ファスナと、前記第１袋地片の両側短辺に沿って取付けられた互いに連結可能な第４ファスナと、前記第２袋地片の両側短辺に沿って取付けられた互いに連結可能で、かつ、前記第１袋地片の同じ側に位置する短辺の前記第４ファスナとも連結可能な第５ファスナとを備えたから、一人で簡単にふとんを収納することが可能であるとともに、例えばシングルサイズとダブルサイズの２種類のふとんを収納することが可能である。
【００３０】
また、前記第１袋地片または第２袋地片の外側面に、両端部が袋地片の両側短辺からそれぞれ側方に所定長さ延び、かつ、両端部に互いに連結可能な連結手段が装着される巻付けベルトを取付けたから、ふとんを包んだ第１袋地片と第２袋地片とを更に畳んで巻付けベルトによって縛り付けることで、ふとんを収納スペースに合わせて収納することができ、押し入れなどの内部空間を有効に利用することができる。
【図面の簡単な説明】
【図１】本発明のふとん収納袋を平面状に拡げた状態を示す図面。
【図２】本発明のふとん収納袋の袋地片にふとんを載置した状態を示す図面。
【図３】本発明のふとん収納袋の袋地片間にふとんを包みファスナを連結した状態を示す図面。
【図４】本発明のふとん収納袋のふとんを筒状に丸める収納形態の斜視図。
【図５】本発明のふとん収納袋のふとんを三つ折りに畳む収納形態の斜視図。
【図６】本発明のふとん収納袋のふとんを二つ折りに畳む収納形態の斜視図。
【符号の説明】
Ａ    ふとん収納袋
Ｍ    ふとん
１    第１袋地片
２    第２袋地片
３    マチ部
４    第１ファスナ
５    第２ファスナ
６    第３ファスナ
７    第１スライド金具
８，８´  第４ファスナ
９，９´  第５ファスナ
１０  第２スライド金具
１１  第３スライド金具
１２，１２  巻付けベルト
１３ａ，１３ｂ  ベルト片
１４ａ，１４ｂ  バックル
【図１】
0003942393.tif 000002
【図２】
0003942393.tif 000003
【図３】
0003942393.tif 000004
【図４】
0003942393.tif 000005
【図５】
0003942393.tif 000006
【図６】
0003942393.tif 000007